(57)【要約】【課題】信号伝送切替装置で、２系統以上の信号について、切替が行われる信号とバイパスされる信号の遅延時間を同一又は近似にする。【解決手段】受信手段２１が信号を受信し、系統分配手段２２が受信信号を２系統以上に分配し、各系統毎の復調手段７１、８１が分配信号を復調し、切替分配手段９１、９２が復調信号が分岐された一方の分岐信号を２系統以上について入力して１つの系統の分岐信号を切り替えて２系統以上に分配し、各系統毎の遅延手段７２、８２が復調信号が分岐された他方の分岐信号に対して切替分配手段による処理に要する遅延時間と同一又は近似の遅延時間を与え、各系統毎の切替出力手段９３、９４が切替分配手段からの各系統毎の分配信号と各系統毎の遅延手段からの各系統毎の遅延信号のうちで１つの信号を切り替えて出力する。【選択図】  図２
2008085636.tif 000002
【特許請求の範囲】
【請求項１】
受信信号を分配して得られる２系統以上の信号を切り替える信号伝送切替装置において、
信号を受信する受信手段と、
前記受信手段により受信された信号を２系統以上の信号に分配する系統分配手段と、
前記系統分配手段により分配された各系統毎の信号を復調する各系統毎の復調手段と、
前記各系統毎の復調手段により復調された信号が分岐された一方の分岐信号を前記２系統以上について入力し、入力した前記２系統以上の分岐信号のうちで１つの系統の分岐信号を切り替えて、当該切り替えた分岐信号を前記２系統以上に分配する切替分配手段と、
前記各系統毎の復調手段により復調された信号が分岐された他方の分岐信号に対して前記切替分配手段による処理に要する遅延時間と同一又は近似の遅延時間を与える各系統毎の遅延手段と、
前記切替分配手段から各系統毎の分配信号を入力するとともに前記各系統毎の遅延手段から各系統毎の遅延信号を入力し、これら２つの入力信号のうちで１つの信号を切り替えて出力する各系統毎の切替出力手段と、
を備えたことを特徴とする信号伝送切替装置。
【発明の詳細な説明】
【技術分野】
【０００１】
本発明は、２系統以上の信号を切り替える信号伝送切替装置に関し、特に、これら２系統以上の信号について、切替が行われる信号とバイパスされる信号の遅延時間を同一又は近似にした信号伝送切替装置に関する。
【背景技術】
【０００２】
例えば、放送システムでは、放送局（演奏所）等から放送所（送信所）に送られるデジタル放送信号を受信するＳＴＬ（Ｓｔｕｄｉｏ  Ｔｒａｎｓｍｉｔｔｅｒ  Ｌｉｎｋ）受信装置において、デジタル放送信号を予備の目的で設けられた２系統以上の受信機で受信し、各系統の受信機からの出力信号のうちの１系統を選択する系切替装置を備えたデジタルデータ伝送装置が用いられている。
【０００３】
図１には、放送システムにおけるデジタルデータ伝送装置の運用形態の一構成例を示してある。なお、図１は、後述する実施例で参照するものであり、ここでは、説明の便宜上から参照するが、本発明を限定する意図は無い。
図４には、中継受信機３、５の構成例を示してあり、また、出力先の例として放送装置６及び中継装置６１を示してある。中継装置６１は、例えば、中継送信機や中継受信機から構成される。
なお、図４に示される復調器１０１、１０２は、図１に示される復調器２４、２６に対応している。
【０００４】
１系において、復調器１０１の復調部７１により復調された復調信号が分岐（分配）された２つの復調信号ａ１、ｄ１が、切替分配器２７に入力される。
２系において、復調器１０２の復調部８１により復調された復調信号が分岐（分配）された２つの復調信号ａ３、ｄ２が、切替分配器２７に入力される。
切替分配器２７は、復調信号ａ１、ｄ１、ａ３、ｄ２を受け取り、２系統の復調信号ａ１、ａ３については、切替部９１において制御部９５からの指示により一方が選択されて、選択された信号が分配部９２により分配される。分配部９２からの分配出力である切替分配出力信号ｃ１、ｃ２は、２つのリレー（バイパスリレー）９３、９４に入力される。
【０００５】
各リレー９３、９４には各系統の復調信号ｄ１、ｄ２も入力され、各々のリレー９３、９４において、復調部７１、８１からの出力信号ｄ１、ｄ２又は分配部９２からの出力信号ｃ１、ｃ２の一方が切り替えられて放送装置６や中継装置６１へ出力される。復調部７１、８１からリレー９３、９４への系は、切替部９１や分配部９２が故障したときにおいても復調部７１、８１からの復調信号を確実に放送装置６や中継装置６１に伝えるために備えられた迂回路である。
【発明の開示】
【発明が解決しようとする課題】
【０００６】
しかしながら、図４に示されるような中継受信機３、５の構成では、例えば、放送所Ｂなどにおいて切替部９１や分配部９２が故障したときには、復調部７１、８１から出力される復調信号ｄ１、ｄ２を選択することができるが、この場合には、切替部９１及び分配部９２による処理がバイパスされるため、出力先（図４の例では、放送装置６や中継装置６１）に伝わる信号の遅延時間が変動してしまう。そして、出力先へ出力される信号の遅延が変動すると、２つの放送所Ａ、Ｂに設置された放送アンテナ５１、５２から無線送信される信号間の相対時間関係が変わってしまい、２つの放送所Ａ、Ｂの間でＳＦＮ（Ｓｉｎｇｌｅ  Ｆｒｅｑｕｅｎｃｙ  Ｎｅｔｗｏｒｋ）を構成している場合には、ＳＦＮの破綻を引き起こしてしまう。なお、図１には、重複エリア８の一例を示してある。
【０００７】
このように、図４に示されるような中継受信機３、５の構成では、予備の目的で受信信号を２系統に分けて復調して、この２系統の復調信号を切り替えて出力する場合に、切替部９１等が故障したときのことを考慮して、切替部９１等に対してバイパス経路を設けるが、通常の動作時（切替部９１により切替を行う動作時）とバイパス経路に切り替えたときの動作時とで遅延時間が異なるため、ＳＦＮを構成している場合に、ＳＦＮの破綻を引き起こしてしまうといった問題があった。
【０００８】
本発明は、このような従来の事情に鑑み為されたもので、２系統以上の信号を切り替えるに際して、これら２系統以上の信号について、切替が行われる信号とバイパスされる信号の遅延時間を同一又は近似にすることができる信号伝送切替装置を提供することを目的とする。
【課題を解決するための手段】
【０００９】
上記目的を達成するため、本発明では、受信信号を分配して得られる２系統以上の信号を切り替える信号伝送切替装置において、次のような構成とした。
すなわち、受信手段が、信号を受信する。系統分配手段が、前記受信手段により受信された信号を２系統以上の信号に分配する。各系統毎の復調手段が、前記系統分配手段により分配された各系統毎の信号を復調する。切替分配手段が、前記各系統毎の復調手段により復調された信号が分岐された一方の分岐信号を前記２系統以上について入力し、入力した前記２系統以上の分岐信号のうちで１つの系統の分岐信号を切り替えて、当該切り替えた分岐信号を前記２系統以上に分配する。各系統毎の遅延手段が、前記各系統毎の復調手段により復調された信号が分岐された他方の分岐信号に対して、前記切替分配手段による処理に要する遅延時間と同一又は近似の遅延時間を与える。各系統毎の切替出力手段が、前記切替分配手段から各系統毎の分配信号を入力するとともに、前記各系統毎の遅延手段から各系統毎の遅延信号を入力し、これら２つの入力信号のうちで１つの信号を切り替えて出力する。
【００１０】
従って、受信信号を分配して得られる２系統以上の信号を切り替えるに際して、このような切替を行うための経路と共に、このような切替を行わずに前記２系統以上の信号を出力する（バイパスする）経路を設けた場合に、バイパスされる信号に対して前記切替に要する時間に一致又は近似する遅延が与えられるため、これら２系統以上の信号について、切替が行われる信号とバイパスされる信号の遅延時間を同一又は近似にすることができ、これにより、例えば、放送システムにおいてＳＦＮが構成されるような場合においても、ＳＦＮの破綻を回避することができる。
【００１１】
ここで、２系統以上としては、例えば、現用系と予備系の２系統を用いることができるが、３系統以上が用いられてもよい。
また、切替分配手段により２系統以上の信号のうちで１つの系統の信号へ切り替える制御の態様としては、種々な態様が用いられてもよい。
また、各系統毎の遅延手段により信号に与える遅延時間としては、種々な時間が用いられてもよく、例えば、切替分配手段による処理に要する遅延時間に基づいて、実用上で有効な値が設定されればよい。
また、切替出力手段により切替分配手段からの切替が行われた信号と遅延手段からのバイパスされた信号とのいずれかへ切り替える制御の態様としては、種々な態様が用いられてもよい。
【発明の効果】
【００１２】
以上説明したように、本発明によると、受信信号を分配して得られる２系統以上の信号を切り替える経路と、このような切替を行わずに前記２系統以上の信号を出力する（バイパスする）経路を設けた信号伝送切替装置において、バイパスされる信号に対して前記切替に要する時間に一致又は近似する遅延を与えるようにしたため、これら２系統以上の信号について、切替が行われる信号とバイパスされる信号の遅延時間を同一又は近似にすることができ、これにより、例えば、放送システムにおいてＳＦＮが構成されるような場合においても、ＳＦＮの破綻を回避することができる。
【発明を実施するための最良の形態】
【００１３】
本発明に係る実施例を図面を参照して説明する。
図１には、本発明の一実施例に係る放送システムの一構成例を示してある。
本例の放送システムは、放送局（演奏所）に、伝送信号源１と、中継送信機２を設けてある。
中継送信機２は、変調器１１と、周波数変換器１２と、送信アンテナ１３を備えている。
また、本例の放送システムは、放送所（送信所）Ａに、中継受信機３と、中継送信機４と、放送装置６を設けてある。
中継受信機３は、受信アンテナ２１と、分配器２２と、第１の系統の周波数変換器２３及び復調器２４と、第２の系統の周波数変換器２５及び復調器２６と、切替分配器２７を備えている。
中継送信機４は、中継送信機２と同様な構成を有しており、送信アンテナ３１等を備えている。
放送装置６は、放送アンテナ５１を備えている。
【００１４】
また、本例の放送システムは、放送所（送信所）Ｂに、中継受信機５と、放送装置７を設けてある。
中継受信機５は、中継受信機３と同様な構成を有しており、受信アンテナ４１等を備えている。
放送装置７は、放送アンテナ５２を備えている。
本例の放送システムでは、２つの放送装置６、７によりＳＦＮが構成されている。なお、図１には、重複エリア８の一例を示してある。
【００１５】
本例の放送システムにおいて行われる動作の一例を示す。
伝送信号源１は、例えば、演奏所等で製作された放送プログラムであり、中継送信機２内の変調器１１により変調される。この変調の処理には、誤り訂正の符号化の処理や、インターリーブの処理を含む。変調信号は、周波数変換器１２により周波数変換（アップコンバート）された後に、送信アンテナ１３から放送所Ａの受信アンテナ２１に対して無線により送信される。
【００１６】
放送所Ａでは、受信アンテナ２１により受信した信号を中継受信機３内の分配器２２により現用系と予備系の２つの系統に分配する。分配された受信信号は、各々、周波数変換器２３、２５により周波数変換（ダウンコンバート）され、復調器２４、２６により復調される。復調された放送プログラムは、切替分配器２７により選択されて分配される。切替分配器２７により分配された一方の信号は、放送装置６に入力されて放送アンテナ５１から無線により放送（送信）される。
一方、切替分配器２７により分配された他方の信号は、中継送信機４に入力されて、中継送信機４内で処理された後に、送信アンテナ３１から次の放送所Ｂの受信アンテナ４１に対して無線により送信される。放送所Ｂでは、受信アンテナ４１により受信した信号に対して、中継受信機５において、放送所Ａの中継受信機３と同様な処理が施される。中継受信機５からの出力は、放送装置７に入力されて放送アンテナ５２から無線により放送（送信）される。
【００１７】
図２には、本例の中継受信機３の構成例を示してあり、また、出力先の例として放送装置６及び中継装置６１を示してある。中継装置６１は、例えば、中継送信機や中継受信機から構成される。なお、中継受信機５についても、中継受信機３と同様な構成を有している。
本例の中継受信機３では、各復調器２４、２６は、復調部７１と、遅延器７２、８２を備えている。
また、切替分配器２７は、切替部９１と、分配部９２と、２つのリレー（バイパスリレー）９３、９４と、制御部９５を備えている。
ここで、各復調器２４、２６内に設けられた遅延器７２、８２は、切替分配器２７内の切替部９１及び分配部９２による処理時間に相当する時間分の遅延を信号に与える。
【００１８】
本例の中継受信機３において行われる動作の一例を示す。
１系において、復調器２４の復調部７１により復調された復調信号は２つに分岐（分配）されて、一方の分岐信号である復調信号ａ１はそのまま切替分配器２７に入力され、他方の分岐信号である復調信号は遅延器７２により遅延させられた後に当該遅延させられた復調信号ａ２が切替分配器２７に入力される。
２系において、復調器２６の復調部８１により復調された復調信号は２つに分岐（分配）されて、一方の分岐信号である復調信号ａ３はそのまま切替分配器２７に入力され、他方の分岐信号である復調信号は遅延器８２により遅延させられた後に当該遅延させられた復調信号ａ４が切替分配器２７に入力される。
【００１９】
切替分配器２７では、これらの復調信号ａ１、ａ２、ａ３、ａ４を受け取り、復調器２４、２６内の遅延器７２、８２を経由していない２系統の復調信号ａ１、ａ３については、切替部９１において制御部９５からの指示により一方が選択されて、選択された信号が分配部９２により２つに分配される。分配部９２からの分配出力である切替分配出力信号ｃ１、ｃ２は、２つのリレー９３、９４に入力される。
【００２０】
なお、制御部９５は、例えば、２系統の復調器２４、２６から入力される各復調器２４、２６の状態を示す信号などに基づいて切替部９１を制御し、一例として、現用系の復調器（例えば、復調器２４）が正常な状態である場合には、現用系の復調器からの復調信号（例えば、復調信号ａ１）を選択するように切替部９１を制御し、現用系の復調器が異常な状態である場合には、予備系の復調器（例えば、復調器２６）からの復調信号（例えば、復調信号ａ３）を選択するように切替部９１を制御する。
【００２１】
各リレー９３、９４には、復調器２４、２６内の遅延器７２、８２を経由した各系統の復調信号ａ２、ａ４も入力され、各々のリレー９３、９４において、復調器２４、２６内の遅延器７２、８２からの出力信号（復調信号）ａ２、ａ４又は分配部９２からの出力信号（切替分配出力信号）ｃ１、ｃ２の一方が切り替えられて放送装置６や中継装置６１へ出力される。復調器２４、２６内の遅延器７２、８２からリレー９３、９４への系は、切替部９１や分配部９２が故障したときにおいても復調部７１、８１からの復調信号を確実に放送装置６や中継装置６１に伝えるために備えられた迂回路である。
【００２２】
なお、リレー９３、９４では、例えば、切替部９１や分配部９２が正常に動作している場合には、分配部９２からの切替分配出力信号ｃ１、ｃ２を選択して出力先へ出力するように切り替え、切替部９１や分配部９２が故障した場合には、復調器２４、２６からの復調信号ａ２、ａ４を出力先へ出力するように切り替える。
【００２３】
本例では、中継受信機３、５において、復調器２４、２６から出力される２系統の復調信号ａ２、ａ４に対する遅延器７２、８２により、切替部９１及び分配部９２による処理時間に相当する遅延をかけているため、例えば、放送所Ｂにおいて中継受信機５の切替部９１や分配部９２が故障したときにおいても、２つの放送装置６、７の放送アンテナ５１、５２から無線送信される信号間の相対時間関係が変わらないことが実現され、この結果、ＳＦＮの破綻を引き起こすことなく、放送を継続することが可能となる。
【００２４】
図３には、１系の復調器２４から出力される２つの信号ａ１、ａ２や、２系の復調器２６から出力される２つの信号ａ３、ａ４や、切替分配器２７の切替部９１及び分配器９２を経由してリレー９３、９４に入力される信号ｃ１、ｃ２について、時間的な関係の一例を示してある。なお、各信号ａ１〜ａ４、ｃ１、ｃ２は、データ（ＤＡＴＡ１、ＤＡＴＡ２、ＤＡＴＡ３、・・・）のストリームから構成されている。
図示されるように、２つの復調器２４、２６の復調部７１、８１から出力される復調信号ａ１、ａ３に対して、これらの信号が切替部９１及び分配部９２により処理された後の切替分配出力信号ｃ１、ｃ２にはその処理による遅延（時間Δｔ）が生じる。本例では、この遅延と同じ時間Δｔに相当する遅延が各復調器２４、２６の遅延器７２、８２に例えば予め設定されており、これにより、リレー９３、９４における入力信号ａ２、ｃ１、ａ４、ｃ２の位相が所定の範囲に収まるため、この結果、ＳＦＮの破綻を回避することができる。
【００２５】
以上のように、本例の放送システムでは、同一の受信信号を２系統以上に分配して系統別に復調して得られた複数のデータストリームの中から１系統を選択する信号切替部（本例では、切替分配器２７）を備えた受信装置（本例では、中継受信機３、５）から構成された信号伝送切替装置（本例では、デジタルデータ伝送装置）において、受信装置の復調器２４、２６に、復調を行って得られたデータストリームを出力するための復調部７１、８１のほかに、当該データストリームに遅延をかける遅延器７２、８２を備え、所定の遅延をかけた遅延データストリームを出力するようにし、また、信号切替部に信号切替を迂回する経路を備えて、信号切替部に入力されたデータストリーム（本例では、遅延データストリーム）を直接出力することが可能となっている。
【００２６】
本例では、放送局（演奏所）等から放送所Ａ、Ｂに送られるデジタル放送信号を受信するＳＴＬ送受信装置において、デジタル放送信号を予備の目的で多く設けられた２系統以上の受信機で受信（本例では、復調等）して各系統の受信機出力信号のうちで１系統を選択するデジタルデータ切替処理を行うに際して、復調器２４、２６内の復調部７１、８１のバイパス用出力に対して切替部９１及び分配部９２による処理遅延（時間Δｔ）に相当する遅延を与える遅延器７２、８２を予め設けておき、これにより、切替部９１や分配部９２が故障したときに、通常の動作からバイパス経路の動作へ切り替えても、遅延時間が所定の範囲に入るようにすることができ、ＳＦＮの破綻を回避することができる。
【００２７】
なお、本例の中継受信機（本例では、中継受信機３或いは中継受信機５）から構成された信号伝送切替装置では、受信アンテナ２１の機能により受信手段が構成されており、分配器２２の機能により系統分配手段が構成されており、各系統毎の復調部７１、８１の機能により各系統毎の復調手段が構成されており、切替部９１や分配部９２の機能により切替分配手段が構成されており、各系統毎の遅延器７２、８２の機能により各系統毎の遅延手段が構成されており、各系統毎のリレー９３、９４の機能により各系統毎の切替出力手段が構成されている。
【００２８】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２９】
【図１】本発明の一実施例に係る放送システムの構成例を示す図である。
【図２】本発明の一実施例に係る中継受信機の構成例を示す図である。
【図３】信号のタイミングの一例を示す図である。
【図４】中継受信機の構成例を示す図である。
【符号の説明】
【００３０】
１・・伝送信号源、  ２、４・・中継送信機、  ３、５・・中継受信機、  ６、７・・放送装置、  ８・・重複エリア、  １１・・変調器、  １２、２３、２５・・周波数変換器、  １３、３１・・送信アンテナ、  ２１、４１・・受信アンテナ、  ２２・・分配器、  ２４、２６、１０１、１０２・・復調器、  ２７・・切替分配器、  ５１、５２・・放送アンテナ、  ６１・・中継装置、  ７１、８１・・復調部、  ７２、８２・・遅延器、  ９１・・切替部、  ９２・・分配部、  ９３、９４・・バイパスリレー、  ９５・・制御部、  ａ１、ａ３、ｄ１、ｄ２・・復調信号、  ａ２、ａ４・・復調遅延信号、  ｂ１、ｂ２・・アラーム検知信号、  ｃ１、ｃ２・・切替分配出力信号、
【図１】
2008085636.tif 000003
【図２】
2008085636.tif 000004
【図３】
2008085636.tif 000005
【図４】
2008085636.tif 000006